(57)【特許請求の範囲】
【請求項１】
光ディスクに時間的に連続して入力される情報を記録する情報記録装置において、
前記入力される情報を記録するバッファ部と、
前記光ディスクへの書込開始時に初期設定を行わせる初期設定部と、
指令を入力する入力部と、
前記入力部より記録開始指令が入力されたとき、前記バッファ部に入力情報を先頭アドレスより記録を開始させると共に前記初期設定部で初期設定を開始させ、初期設定が終了した後で前記バッファ部の先頭アドレスより記録されている情報を読出し、前記光ディスクに記録させる制御部と、を備え、そして、
前記制御部においては、前記入力部より一時停止が入力された場合は、前記バッファ部への入力情報の記録を停止すると共に前記光ディスクへの記録速度を遅らせるように設定され、かつ、前記入力部より記録終了が入力された場合は、前記光ディスクへの記録速度を速めるように設定されていることを特徴とする情報記録装置。
【請求項２】
前記制御部においては、前記入力部よりの一時停止に代えて、前記バッファ部が入力される情報がコマーシャルである場合、一時停止を発するように設定されていることを特徴とする請求項１記載の情報記録装置。
【請求項３】
前記制御部においては、前記入力部より記録終了が入力された場合は、前記バッファ部に入力情報が記録されたアドレスを記録し、前記記録されたアドレスの情報が前記バッファ部より読出されて前記光ディスクに記録されるまで光ディスクへの記録動作を続行するように設定されていることを特徴とする請求項１又は２に記載の情報記録装置。
【請求項４】
光ディスクを交換するオートチェンジャを設け、前記光ディスクが収納されている光ディスクと交換するようにしたことを特徴とする請求項１乃至３のいずれかに記載の情報記録装置。
【請求項５】
前記制御部においては、前記バッファ部に入力される情報がコマーシャルである場合は一時停止が送出され、前記光ディスクの残記録容量が所定量以上のときは前記光ディスクへの記録速度を遅らせ、所定量以下のときは前記光ディスクへの記録速度を速めて記録させ、前記オートチェンジャで光ディスクの交換を行わせるように設定されていることを特徴とする請求項４記載の情報記録装置。
【請求項６】
前記制御部においては、前記バッファ部に記録されている情報を全て前記光ディスクに記録した後の前記光ディスクの残容量が所定量以下である場合は前記一時停止期間に前記オートチェンジャで光ディスクを交換するように設定されていることを特徴とする請求項４または５記載の情報記録装置。
【発明の詳細な説明】
【０００１】
【発明の属する技術分野】
本発明は、記録を所望した情報と実際に光ディスクに記録される情報の相違を小さくし、かつ途切れなくディスクに情報を記録できるようにした情報記録装置に関する。
【０００２】
【従来の技術】
ＣＤ−Ｒ／ＲＷは、広く認知され、かつ使用されている。ＣＤは、元来は音楽を収録するために開発された経緯があり、当然ながら音楽を記録したＣＤ−Ｒ／ＲＷディスクは広く流通している。
【０００３】
また近年、大掛かりな設備を持たずとも簡単に記録可能なＣＤ−Ｒ／ＲＷドライブも開発されており、広く認知されている。  音声をＣＤに記録するためのフォーマットとしてはＣＤ−ＤＡ、映像と音声を記録するためにはＶｉｄｅｏ  ＣＤという規格がある。
【０００４】
しかしながら、ＣＤ−Ｒ／ＲＷに記録するためには、実際に記録を開始するまでの準備段階となる処理が発生し、実際に記録されるデータは記録開始したい時点から略数秒後からになってしまう。
【０００５】
準備処理は、ディスクを所定の回転に変更する時間や、記録するためのレーザ光のパワー調整などが含まれる。また、本当に記録を開始したい時点は、記録開始を指示する直前である場合がある。
【０００６】
これは、例えばテレビ放送録画中に、所望の番組が始まったと同時にスイッチを押して映像記録を開始するとして、目視にて番組が始まったことを確認するための認識時間、手を動かしてスイッチを押すという動作に移るまでの反応時間、実際にスイッチを押すまでの動作時間などが含まれる。
【０００７】
またＣＤ−ＤＡやＶｉｄｅｏ  ＣＤ規格に準拠するためには、連続した音声や映像は一度記録を開始すれば記録を終了するまで途切れることなく記録を続けなくてはならないため、一時停止などすると、記録再開した後のデータと一時停止前のデータの連続性が失われてしまう。さらに、特に映像と音声を記録したＶｉｄｅｏ  ＣＤを作成する場合など、１枚のＣＤに記録できる時間は高々３０分程度であり、もっと長時間記録したいという要望がある。
【０００８】
一般にチェンジャと呼ばれる、ＣＤ−Ｒ／ＲＷドライブ内部で自動的にＣＤ−Ｒ／ＲＷディスクの入れ替えを行う機能を有するドライブを使用することにより、ＣＤでの長時間記録は可能となるが、この場合はディスク交換を行って新たなディスクが記録可能な状態になるまでにかかる時間、記録が途切れることになる。
【０００９】
また、ＣＤ−ＤＡやＶｉｄｅｏ  ＣＤ規格準拠のＣＤを作成するには、ＣＤ−Ｒ／ＲＷディスクへの記録は、連続する映像や音声を１つのトラックとして記録する。ＣＤ−Ｒ／ＲＷでは、トラックは一気書きをすることになっており、途中で記録を止めると、それ以降トラックを連続することは出来ない。つまり、連続する映像や音声は、途切れることなくＣＤ−Ｒ／ＲＷディスクに記録される必要がある。ＣＤ−Ｒ／ＲＷディスクに記録すべきデータの供給が遅滞すると、一般にバッファアンダーランと呼ばれる現象が発生する。
【００１０】
バッファアンダーランは、ＣＤ−Ｒ／ＲＷディスクに連続して供給されるべきデータが枯渇し、そこで記録を止めざるを得なくなるため、本来連続して記録されるトラックが形成できなかったという現象である。
【００１１】
本現象が発生すると、該ディスクは本来１トラックに記録すべきデータを複数のトラックに分割して記録するか、現象が発生したトラックを捨てて再度データの初めから記録しなおすかしなければならない。
【００１２】
しかしながら、本来１トラックに記録すべきデータを複数のトラックに分割してしまうと、ＣＤ−ＤＡやＶｉｄｅｏ  ＣＤの規格上、連続したデータとして扱われなくなるため、例えば音楽ならば、１曲として扱われなくなってしまう。
【００１３】
また再度データの初めから記録しなおすとしても、例えばビデオのダビングのように、記録すべき映像や音声を任意に供給可能ならば良いが、例えばテレビの放送を録画する場合、同じデータを再度供給することは不可能であるため、記録しなおしは不可能である。
【００１４】
以上の問題から、ＣＤ−Ｒ／ＲＷディスク記録時に供給されるデータの遅滞は避けなくてはならない。同時に、供給が過剰となれば、当然のごとく記録が間に合わないため、データの供給過剰な状態も避ける必要がある。
【００１５】
一般的なＣＤ−Ｒ／ＲＷドライブは、ＣＤ−Ｒ／ＲＷディスクへの記録データの安定供給のため、データ供給源から転送されたデータを一旦バッファ装置に溜め、ＣＤ−Ｒ／ＲＷディスクにはこのバッファ装置からデータを供給するようにしている。
【００１６】
このバッファ装置へのデータの供給は、ＣＤ−Ｒ／ＲＷドライブの記録速度と同等かそれ以上の速度で行われる。逆にいうと、バッファ装置へのデータ供給速度がＣＤ−Ｒ／ＲＷドライブの記録速度より遅ければ、ＣＤ−Ｒ／ＲＷディスクへの記録は不可能である。この場合は、ＣＤ−Ｒ／ＲＷドライブの記録速度を予め遅く設定しておき、データの供給遅滞が発生しないようにする必要がある。
このような問題から、連続する映像や音声を１つのトラックとして連続して記録できるようにする必要がある。
【００１７】
【発明が解決しようとする課題】
本発明においては、上記問題点を鑑み、記録しようとする情報と実際に光ディスクに記録される情報の差異を極力小さくし、また一時停止などの操作を行ってもデータの連続性が失われる危険性を低減し、またチェンジャ機能などを用いてディスク交換を実施しても記録すべき情報を失うことなく記録可能とする情報記録装置を提供することを課題とする。
【００１８】
【課題を解決するための手段】
請求項１の発明においては、光ディスクに時間的に連続して入力される情報を記録する情報記録装置において、前記入力される情報を記録するバッファ部と、前記光ディスクへの書込開始時に初期設定を行わせる初期設定部と、指令を入力する入力部と、前記入力部より記録開始指令が入力されたとき、前記バッファ部に入力情報を先頭アドレスより記録を開始させると共に前記初期設定部で初期設定を開始させ、初期設定が終了した後で前記バッファ部の先頭アドレスより記録されている情報を読出し、前記光ディスクに記録させる制御部と、を備え、そして、前記制御部においては、前記入力部より一時停止が入力された場合は、前記バッファ部への入力情報の記録を停止すると共に前記光ディスクへの記録速度を遅らせるように設定され、かつ、前記入力部より記録終了が入力された場合は、前記光ディスクへの記録速度を速めるように設定されている。
【００１９】
請求項２の発明においては、前記制御部においては、前記入力部よりの一時停止に代えて、前記バッファ部が入力される情報がコマーシャルである場合、一時停止を発するように設定されている。
【００２０】
請求項３の発明においては、前記制御部においては、前記入力部より記録終了が入力された場合は、前記バッファ部に入力情報が記録されたアドレスを記録し、前記記録されたアドレスの情報が前記バッファ部より読出されて前記光ディスクに記録されるまで光ディスクへの記録動作を続行するように設定されている。
【００２１】
請求項４の発明においては、光ディスクを交換するオートチェンジャを設け、前記光ディスクが収納されている光ディスクと交換するようにした。
【００２２】
請求項５の発明においては、前記制御部においては、前記バッファ部に入力される情報がコマーシャルである場合は一時停止が送出され、前記光ディスクの残記録容量が所定量以上のときは前記光ディスクへの記録速度を遅らせ、所定量以下のときは前記光ディスクへの記録速度を速めて記録させ、前記オートチェンジャで光ディスクの交換を行わせるように設定されている。
【００２３】
請求項６の発明においては、前記制御部においては、前記バッファ部に記録されている情報を全て前記光ディスクに記録した後の前記光ディスクの残容量が所定量以下である場合は前記一時停止期間に前記オートチェンジャで光ディスクを交換するように設定されている。
【００２５】
【発明の実施の形態】
本発明の実施の形態を図１〜図３を参照して説明する。図１は本発明の実施例の構成図、図２および図３は第１の実施例の動作フローチャートである。
【００２６】
図１は本発明に係る要部を示しており、１は情報を記録する光ディスク、２は光ディスク１が収納されている他の光ディスクと交換するオートチェンジャ、３は光ディスク１を回転させるモータ、４は光ディスク１に情報を記録させるピックアップ、５はモータ３の回転を制御するモータ制御部、６は光ピックアップ４の記録時のパワーを制御するパワー制御部、７は初期設定部、８は制御部、９は入力部、１０〜１３はインタフェース（Ｉ／Ｏ）、１４は処理を行うプロセッセ、１５は入力されるＴＶ信号等を一時記録するバッファ部である。
【００２７】
初期設定部７は光ディスク１に情報の記録を開始する際に最適照射レーザ光の設定、モータ３の回転速度の設定、ピックアップ４の光ディスク１上への位置付等の初期設定を行う。
またバッファ部１５は所定の記録容量を有するメモリにＴＶ信号等を順次記録させ、記録容量が無くなると先頭アドレスに移って順次記録することを繰返す。
【００２８】
次に図２および図３を参照して第１の実施例の動作を説明する。
ステップＳ１では、制御部８は操作者が入力部９より記録開始指令を入力するのを待機する。
ステップＳ２では、記録開始が入力されると制御部８は、Ｉ／Ｏ１１を介してバッファ部１５に指令して記録を開始し、入力されるＴＶ信号を順次記録する。
【００２９】
ステップＳ３では、また制御部８は初期設定部７に指令して初期設定を開始させ、ステップＳ４に移って初期設定が終了するのを待機する。
初期設定が終了するとステップＳ４に移り、制御部８は、バッファ部１５に指令して先頭アドレスより記録されている情報を順次読出す。
【００３０】
ステップＳ６では、制御部８は、バッファ部１５から読出された情報をＩ／Ｏ１２より取込み、Ｉ／Ｏ１３よりピックアップ４に転送し、光ディスク１に記録する。
【００３１】
このように記録開始が入力されると入力信号をバッファ部１５に記録させ、初期設定が終了後、バッファ部１５に記録されている情報を読出して光ディスク１に記録するようにしているので、目的とする情報を全て光ディスク１に記録することができる。
【００３２】
ステップＳ７では、制御部７はＩ／Ｏ１１を介してバッファ部１５の未読出情報量を得、未読出情報量が所定量の範囲内にあるか否かを判定する。未読出情報量はバッファ部の書込んでいるアドレスより読出アドレスを減算することにより知ることができる。
【００３３】
ステップＳ７での判定が範囲内にあるときはステップＳ１０に移り、範囲より大であるときはステップＳ８に移り、制御部８は、モータ制御部５に指令して回転を速めると共にバッファ部１５より情報読出速度を速めて光ディスク１への記録速度を速める。
【００３４】
またステップＳ７での判定が範囲より小であるときはステップＳ９に移り、制御部９は逆に光ディスク１への記録速度を遅らせる。
このように所定範囲より大のときは光ディスク１への記録速度を速め、小のときは記録速度を遅らせるようにしているので、バッファ部１５の記録のオーバフローや読出のアンダフローが無くなる。
【００３５】
ステップＳ１０では、制御部８は、入力部９より記録終了が入力されたか否かを判定する。
判定がＮＯの場合はステップＳ５に移りステップＳ５〜Ｓ１０が繰返される。また判定がＹＥＳの場合はステップＳ１１に移り、制御部８はバッファ部１５が現在ＴＶ信号を記録した情報記録アドレスを記録する。
【００３６】
ステップＳ１２では、制御部８は光ディスクへの記録速度を速め、ステップＳ１３に移って光ディスクへの記録完了を待機する。記録完了はステップＳ１１で記録したアドレスより情報が読出され、光ディスク１に記録されることによって知ることができる。
【００３７】
このように記録終了が入力されると光ディスクへの記録速度を速めるようにしたことにより、記録終了入力より記録完了までの時間を短くすることができる。
【００３８】
つぎに、図４を参照して、第２の実施例の動作を説明する。
ステップＳ２０では、操作者が電源をオンにする。
ステップＳ２１では、制御部８はバッファ部１５に指令して記録を開始させ、入力ＴＶ信号を順次記録させる。
【００３９】
ステップＳ２２で記録開始が入力されるとステップＳ２３に移り、制御部８はバッファ部１５が現在情報を記録したアドレスを記録する。
ステップＳ２４では、制御部８は初期設定部７に指令して初期設定動作を開始させ、ステップＳ２５に移って初期設定の終了を待機する。
【００４０】
初期設定が終了するとステップＳ２６に移り、制御部８は、バッファ部１５よりステップＳ２３で記録したアドレスより情報を読出し、以下図２の第１の実施例で説明したステップＳ６に移り、図２および図３のステップＳ６〜Ｓ１３が行われる。
【００４１】
なお第２の実施例のステップＳ２６ではステップＳ２３で記録したアドレスより順次情報を読出すようにしていたが、ステップＳ２３で記録したアドレスより所定アドレス前から読出すようにしてもよい。
【００４２】
このようにすることによって、例えば操作者がＴＶを見ていて記録を開始させたいと思った時点から記録開始を入力するまでには時間を要するが、所定アドレス前から読出すことによって、この時間に相当する部分を記録することができる。
【００４３】
つぎに、図５〜図７を参照して、第３の実施例の動作を説明する。
第３の実施例は、例えばＴＶ画像の中のコマーシャル部分を記録させないようにするための一時停止動作が付加されたものである。
【００４４】
先ず図５に示すステップＳ３０〜Ｓ３４は、第１の実施例で説明したステップＳ２または第２の実施例で説明したステップＳ２１に代えて実行される。
すなわち、ステップＳ３０では、入力される情報がコマーシャルであるか否かを判定し、判定がＮＯの場合はステップＳ３４に移りバッファ部１５に入力情報が記録される。
【００４５】
また判定がＹＥＳの場合はステップＳ３１に移り、バッファ部１５への情報の記録を停止させ、ステップＳ３２に移って一時停止をＩ／Ｏ１１を介して送出する。
【００４６】
ステップＳ３３ではコマーシャルが終了したか否かを判定し、コマーシャルが終了するまで情報の記録停止および一時停止を送出する。
またコマーシャルが終了するとステップＳ３４に移って情報の記録を再開させる。
【００４７】
なおステップＳ３０でのコマーシャルの開始およびステップＳ３３でのコマーシャルの終了を操作者が判定し、一時停止を操作者が入力部９より入力させてバッファ部への記録を停止させるようにしてもよい。
【００４８】
つぎに図６および図７を参照して第３の実施例の光ディスクへの記録動作を説明する。
第１の実施例で説明した図２のステップＳ１〜Ｓ６、または第２の実施例で説明した図４のステップＳ２０〜Ｓ２６およびＳ６が実行されてステップＳ４０に移る。
【００４９】
ステップＳ４０では、制御部８は、図５のステップＳ３２で説明した一時停止がＩ／Ｏ１１を介して転送されたか否かを判定し、判定がＮＯならば図２のステップＳ７に移り、以下第１の実施例で説明した動作が行われる。
【００５０】
一時停止が転送された場合はステップＳ４１に移り、制御部８は、光ディスク１の残り記録容量が所定量以下か否かを判定し、判定がＮＯの場合はステップＳ４２に移って光ディスクへの記録速度を遅らせ、ステップＳ４３に移って一時停止終了が転送されるまで記録速度を遅らせる。
【００５１】
またステップＳ４３で一時停止終了が転送されるとステップＳ４４に移り、光ディスクへの記録速度を正常にして記録を再開し、図３で説明したステップＳ１０へ移り、以下第１の実施例で説明した動作が行われる。
【００５２】
ステップＳ４１での所定量以下であるか否かを判定させる理由は光ディスク１の交換が間近であるかを判定させている。
またステップＳ４２で記録速度を遅らせる理由は一時停止している間にバッファ部１５に記録されている情報が全て読出されて光ディスク１への記録が中断しないようにするためである。
【００５３】
ステップＳ４１での判定がＹＥＳの場合はステップＳ４５に移り、制御部８は、光ディスクへの記録速度を速めて光ディスク１に記録させる。
記録速度を速める理由は、一時停止中に光ディスク１を交換させるために記録速度を速めて光ディスクに記録させ、交換時間を十分に得られるようにするためである。
【００５４】
ステップＳ４６では、制御部８は、バッファ部１５に記録されている未読出情報が全て光ディスク１に記録できるか否かを判定し、判定がＹＥＳの場合はステップＳ４７に移り、バッファ部１５に記録されている未読出情報を読出して光ディスク１に全て記録させ、ステップＳ４８に移ってオートチェンジャ２に指令して新しい光ディスクと交換させる。
すなわち、光ディスク１に少々未記録の領域が有っても光ディスクを交換させる。
【００５５】
またステップＳ４６での判定がＮＯの場合はステップＳ４９に移り、バッファ部１５より情報を読出して光ディスクに記録させ、光ディスク１の全記録領域に情報を記録させるとステップＳ５０に移ってバッファ部１５よりの情報の読出および光ディスク１への記録動作を中断し、ステップＳ４８に移って光ディスクの交換を行わせる。
【００５６】
光ディスクの交換が終了するとステップＳ５１に移り、ステップＳ５１では、一時停止が転送されたか否かを判定し、一時停止終了が転送されるとステップＳ５２に移って光ディスクへの記録速度を正常にして記録を再開し、第１の実施例で説明した図３のステップＳ１０へ移って動作が再開される。
【００５７】
なおステップＳ５１での一時停止終了が光ディスクの交換中に発生した場合は光ディスクの交換後ステップＳ５２に移って動作を再開する。
またバッファ部１５の記録開始は図５のステップＳ３３で説明したコマーシャル終了（一時停止終了）と共にステップＳ３４に移って記録が再開される。
【００５８】
【発明の効果】
以上説明したように本発明によれば、バッファ部を設けて入力される情報を記録させ、光ディスクへの開始指令が入力された時は光ディスクへの書込動作の初期設定を行い、初期設定終了後、バッファ部に記録されている情報を読出して光ディスクに記録させるようにしたので、記録しようとする情報と実際に光ディスクに記録される情報の差を少なくすることができる。また、記録終了が入力されると光ディスクへの記録速度を速めるようにしたことにより、記録終了入力より記録完了までの時間を短くすることができる。
【図面の簡単な説明】
【図１】本発明の実施例の構成図である。
【図２】本発明の第１の実施例の動作フローチャートである。
【図３】本発明の第１の実施例の動作フローチャートである。
【図４】本発明の第２の実施例の動作フローチャートである。
【図５】本発明の第３の実施例の動作フローチャートである。
【図６】本発明の第３の実施例の動作フローチャートである。
【図７】本発明の第３の実施例の動作フローチャートである。
【符号の説明】
１          光ディスク
２          オートチェンジャ
３          モータ
４          ピックアップ
５          モータ制御部
６          パワー制御部
７          初期設定部
８          制御部
９          入力部
１０〜１３  インタフェース（Ｉ／Ｏ）
１４        プロセッサ（ＣＰＵ）
１５        バッファ部
【図１】
0003947346.tif 000002
【図２】
0003947346.tif 000003
【図３】
0003947346.tif 000004
【図４】
0003947346.tif 000005
【図５】
0003947346.tif 000006
【図６】
0003947346.tif 000007
【図７】
0003947346.tif 000008